(57)【要約】【課題】既存のパチンコ遊技機に追加的に簡単に設置でき、不正行為を的確に監視できる装置を提供する。【解決手段】所定数のパチンコ球等の有価遊技媒体が遊技機１０に補給されたときに補給信号を出力する補給数計数器１６と、大当信号および貸球払出信号を出力する遊技機１０とに接続され、該遊技機に対応して設けられる有価遊技媒体払出監視装置であって、補給信号の出力によって時間計測を開始するタイマ３１と、補給信号の回数を計数する補給回数計数手段３２とからなり、大当信号および貸球払出信号によって該補給回数計数手段の補給回数計数値をリセットするとともに、該タイマの所定の計測時間内における該補給回数計数手段の補給回数計数値が所定の補給回数を超したときに異常発生が報知されるようにした。【選択図】図１
2005177022.tif 000002
【特許請求の範囲】
【請求項１】
所定数のパチンコ球等の有価遊技媒体が遊技機に補給されたときに補給信号を出力する補給数計数器と、大当信号および貸球払出信号を出力する遊技機とに接続され、遊技機に対応して設けられる有価遊技媒体払出監視装置であって、
補給信号の出力によって時間計測を開始するタイマと、補給信号の回数を計数する補給回数計数手段とからなり、大当信号および貸球払出信号によって該補給回数計数手段の補給回数計数値をリセットするとともに、該タイマの所定の計測時間内における該補給回数計数手段の補給回数計数値が所定の補給回数を超したときに異常発生が報知されるようにしたことを特徴とする有価遊技媒体払出監視装置。
【請求項２】
タイマの計測時間を可変設定するロータリースイッチと、大当信号の遅延時間を可変設定するロータリースイッチと、貸球払出信号の遅延時間を可変設定するロータリースイッチと、異常発生を報知する補給回数を可変設定するロータリースイッチを設けた請求項１に記載の有価遊技媒体払出監視装置。
【請求項３】
所定数のパチンコ球等の有価遊技媒体が遊技機に補給されたときに補給信号を出力する補給数計数器と、大当信号を出力する遊技機とに接続され、遊技機に対応して設けられる有価遊技媒体払出監視装置であって、
補給信号の出力によって時間計測を開始するタイマと、補給信号の回数を計数する補給回数計数手段とからなり、大当信号によって該補給回数計数手段の補給回数計数値をリセットするとともに、該タイマの所定の計測時間内における該補給回数計数手段の補給回数計数値が所定の補給回数を超したときに異常発生が報知されるようにしたことを特徴とする有価遊技媒体払出監視装置。
【請求項４】
タイマの計測時間を可変設定するロータリースイッチと、大当信号の遅延時間を可変設定するロータリースイッチと、異常発生を報知する補給回数を可変設定するロータリースイッチを設けた請求項３に記載の有価遊技媒体払出監視装置。
【請求項５】
遊技機から発せられる特定遊技モード信号により補給回数計数手段の補給回数計数値がリセットされるようにした請求項１乃至４に記載の有価遊技媒体払出監視装置。
【発明の詳細な説明】
【技術分野】
【０００１】
本発明はパチンコ遊技機のような遊技機からパチンコ球等の有価遊技媒体が不正に払い出されることのないように監視する装置に関するものである。
【背景技術】
【０００２】
近時、パチンコ遊技機の内部にピアノ線等を侵入させ大入賞口を開放させる等の行為によりパチンコ球を不正に払い出させる事犯、或いは、不正な電波を発信しパチンコ遊技機のセンサを誤作動させパチンコ球を不正に取得するといった事犯が頻発しており、これらの不正行為をいかに防止するかが遊技場にとって大きな問題となっている。
【０００３】
なお、従来から所定数のパチンコ球が遊技機に補給されたときに発せられる補給信号や、大当たり発生時に発せられる大当信号が遊技場の管理室に設けられたホールコンピュータに伝達され、その発生回数等が管理されていたが、上記の事犯に対しては的確に監視できていないのが現状であった。
【０００４】
また、特許文献１に示されたパチンコ店におけるセキュリティ装置は、パチンコ遊技機の入玉数と出玉数の比を計算し設定値より大きく外れたとき異常・不正とみなし警報装置を作動させるものであった。
【特許文献１】特開平１１−１７９０３８号公報
【発明の開示】
【発明が解決しようとする課題】
【０００５】
しかしながら従来の上記セキュリティ装置では、遊技機に通常設けられていない入玉カウンタ、出玉カウンタ等を設けなければならないため、従来のパチンコ遊技機に追加的に設けることが困難であったり、或いは非常にコストが掛かるという問題があった。
【０００６】
そこで本発明は、既存のパチンコ遊技機にも追加的に容易に設置でき、不正行為を的確に監視できる装置を提供しようとするものである。
【課題を解決するための手段】
【０００７】
そのために請求項１に記載の有価遊技媒体払出監視装置の発明は、所定数のパチンコ球等の有価遊技媒体が遊技機に補給されたときに補給信号を出力する補給数計数器と、大当信号および貸球払出信号を出力する遊技機とに接続され、遊技機に対応して設けられる有価遊技媒体払出監視装置であって、補給信号の出力によって時間計測を開始するタイマと、補給信号の回数を計数する補給回数計数手段とからなり、大当信号および貸球払出信号によって該補給回数計数手段の補給回数計数値をリセットするとともに、該タイマの所定の計測時間内における該補給回数計数手段の補給回数計数値が所定の補給回数を超したときに異常発生が報知されるようにしたことを特徴とする。
【０００８】
また、請求項２に記載の発明は、上記請求項１に記載の有価遊技媒体払出監視装置において、タイマの計測時間を可変設定するロータリースイッチと、大当信号の遅延時間を可変設定するロータリースイッチと、貸球払出信号の遅延時間を可変設定するロータリースイッチと、異常発生を報知する補給回数を可変設定するロータリースイッチを設けたことを特徴とする。
【０００９】
また請求項３に記載の有価遊技媒体払出監視装置の発明は、所定数のパチンコ球等の有価遊技媒体が遊技機に補給されたときに補給信号を出力する補給数計数器と、大当信号を出力する遊技機とに接続され、遊技機に対応して設けられる有価遊技媒体払出監視装置であって、補給信号の出力によって時間計測を開始するタイマと、補給信号の回数を計数する補給回数計数手段とからなり、大当信号によって該補給回数計数手段の補給回数計数値をリセットするとともに、該タイマの所定の計測時間内における該補給回数計数手段の補給回数計数値が所定の補給回数を超したときに異常発生が報知されるようにしたことを特徴とする。
【００１０】
また請求項４に記載の発明は、上記請求項３に記載の有価遊技媒体払出監視装置において、タイマの計測時間を可変設定するロータリースイッチと、大当信号の遅延時間を可変設定するロータリースイッチと、異常発生を報知する補給回数を可変設定するロータリースイッチを設けたことを特徴とする。
【００１１】
また請求項５に記載の発明は、上記請求項１乃至４に記載の有価遊技媒体払出監視装置において、遊技機から発せられる特定遊技モード信号により補給回数計数手段の補給回数計数値がリセットされるようにしたことを特徴とする。
【発明の効果】
【００１２】
請求項１および請求項３に記載の有価遊技媒体払出監視装置は、既存の遊技機に簡単に追加的に設けることができ、設置コストが軽減されるとともに、所定の計測時間内に所定の補給回数を超す有価遊技媒体の補給があると異常発生が報知されることから、不正行為により有価遊技媒体が多量に払い出されるのを確実に防止することができる。
【００１３】
請求項２および請求項４に記載の発明では、パチンコ遊技機等の機種に合わせてロータリースイッチを夫々適当な値に設定することができ、不正行為の見逃しや誤検知を防ぐことができる。
【００１４】
請求項５に記載の発明では、確率変動モードや時間短縮モード等の有価遊技媒体が一時に多量に払い出される状態となったときの誤検知が防止される。
【実施例１】
【００１５】
次に本発明の実施例を図面とともに説明する。図１は、既存のパチンコ遊技機１０と、該パチンコ遊技機に隣接して設けられた球貸機２０と、本発明に係る監視装置３０とを示すブロック図である。パチンコ遊技機１０は背面に遊技制御回路１１、景品球タンク１２、賞球払出装置１３等が設けられ、遊技盤に設けられた図柄変動表示器（図示せず）が「７７７」、或いは「２２２」「４４４」等の特定図柄に揃うことにより大当たり状態になると、周知の大入賞口（図示せず）が継続的に開成状態となって短時間のうち多数の遊技球を入賞させることが可能となり、その入賞球により賞球払出装置１３が作動し、景品球タンク１２に蓄えられた有価遊技媒体であるパチンコ球が遊技者に多数払い出される。このため景品球タンク１２の貯留球は急速に減少し、球補給樋１４に設けられた球補給装置１５より補給数計数器１６を通してパチンコ球が該景品球タンク１２に頻繁に補給されるようになる。この補給数計数器１６はパチンコ球が１０個通過する毎に１パルスの補給信号を出力端子１７より出力するもので、この出力端子１７は遊技場のホールコンピュータに出力するために従来から設けられたものである。
【００１６】
また、大当たり状態になると遊技制御回路１１は出力端子１８に大当信号を出力し、その大当信号もホールコンピュータに伝達される。また、図柄変動表示器が「７７７」等の奇数の数字で揃った場合に確率変動状態または時短遊技状態と称される特定遊技モードとなり、この状態でも短時間で多数のパチンコ球が遊技者に払い出される状態となり、そのとき該遊技制御回路１１の出力端子１９に特定遊技モード信号が出力され、その特定遊技モード信号もホールコンピュータに伝達されるようにしている。
また、現金やプリペイドカードが球貸機２０に挿入され、球貸操作がされた場合にも上記賞球払出装置１３が作動することにより遊技者にパチンコ球が払い出されるとともに、出力端子２１に貸球払出信号が出力され、その貸球払出信号も従来からホールコンピュータに伝達されるようになっている。
【００１７】
しかして、本発明に係る監視装置３０は、ワンチップマイクロコンピュータが内蔵され、上記出力端子１７，１８，１９，２１にこれを接続することにより各遊技機毎に設置されるもので、上記補給信号の出力によって時間計測を開始するタイマ３１と、上記補給信号の回数を計数する補給回数計数手段３２が構成される。３３はタイマ３１の計測時間を可変設定するロータリースイッチで、該計測時間は例えば５０秒に設定する。３４は大当信号および特定遊技モード信号の遅延時間を可変設定するロータリースイッチで、該遅延時間は例えば２０秒に設定する。３５は貸球払出信号の遅延時間を可変設定するロータリースイッチで、該遅延時間は例えば２０秒に設定する。３６は異常発生を報知する補給回数を可変設定するロータリースイッチで、該補給回数は例えば４５回、即ち、４５０個に設定する。そして、補給回数計数手段３２は、タイマ３１の所定の計測時間（５０秒に設定）内における補給回数計数値が所定の補給回数（４５回に設定）を超したときに、異常報知装置４０に異常報知信号を出力し、該異常報知装置は店員等に警報ランプ、音声等により異常発生を報知し得る。なお、３８はタイマ３１および補給回数計数手段３２を初期状態の戻すリセットスイッチである。
【００１８】
次に、図２のフローチャートに従い本発明の作動をさらに詳しく説明する。先ず、ステップａにより補給回数Ｈが初期状態（ゼロ）に設定され、ステップｂでは上記補給信号の有無を判別し、補給信号が有った場合はステップｃに移行し上記タイマ３１が時間計測を開始する。そしてステップｄでそのタイマの計測時間が上記設定時間（５０秒）を超していないかどうかを判定し、ステップｅでは上記大当信号または特定遊技モード信号の有無を判定し、ステップｆでは上記貸球払出信号の有無を判定する。そしてタイマの計測時間が設定時間を超した場合、および、大当信号、特定遊技モード信号または貸球払出信号が有った場合は、ステップａの初期状態に戻る。また、ステップｇでさらに上記補給信号の有無が判定され、補給信号が無かった場合はステップｄに戻る。また、補給信号が有った場合はステップｇからステップｈに移行し補給回数Ｈに１回が加算され、さらにステップｉにてその補給回数Ｈが上記の設定補給回数（４５回）を超していないかどうかが判定され、超していなければステップｄに戻ってさらに計測時間の終了、大当信号，貸球払出信号等の有無、補給回数Ｈの増加の如何等の監視が続けられる。そして、所定の計測時間（５０秒）内に補給回数Ｈが所定の補給回数（４５回）を超すとステップｊに移行し異常発生信号を出力し異常報知装置４０を作動させる。
【００１９】
このように本発明の有価遊技媒体払出監視装置は、所定数のパチンコ球等の有価遊技媒体が遊技機に補給されたときに補給信号を出力する補給数計数器と、大当信号を出力する遊技制御回路と、貸球払出信号を出力する払出制御回路とを備えた既存の遊技機に、プログラムソフトを改変したりすることなく、簡単に追加的に設けることができるので、設置コストが軽減されるとともに、所定の計測時間内に所定の補給回数を超す有価遊技媒体の補給があると異常発生が報知されることから、不正行為により有価遊技媒体が多量に払い出されるのを確実に防止することができる。
【００２０】
そして上記設定では、大当たりでも特定遊技モードでもなく、また球貸機が使用されたわけでもない状態で、５０秒以内に補給信号が４５回（補給球数が４５０個）を超すと異常発生が報知される。
【００２１】
なお、タイマの計測時間の設定、大当信号および貸球払出信号の遅延時間の設定、および異常発生を報知する補給回数の設定を夫々ロータリースイッチによって可変し得るようにしたので、遊技機の機種に合わせてこれらを適当な値に設定することにより、不正行為の見逃しや、大当たり時間が長引くこと等が原因となる誤検知を防ぐことができる。
【産業上の利用可能性】
【００２２】
本発明は、実施例に示したパチンコ遊技機の不正行為を監視することに限らず、スロットマシンの有価遊技媒体として使用されているメダル等の不正払出を防止できるなど、他の遊技機の不正行為を監視することにも適用できる。
【図面の簡単な説明】
【００２３】
【図１】本発明の実施例であるパチンコ遊技機とその有価遊技媒体払出監視装置のブロック図。
【図２】本発明の実施例である有価遊技媒体払出監視装置の略フローチャート。
【符号の説明】
【００２４】
１０    パチンコ遊技機
１１    遊技制御回路
１２    景品球タンク
１３    賞球払出装置
１４    球補給樋
１５    球補給装置
１６    補給数計数器
１７    補給信号の出力端子
１８    大当信号の出力端子
１９    特定遊技モード信号の出力端子
２０    球貸機
２１    貸球払出信号の出力端子
３０    監視装置
３１    タイマ
３２    補給回数計数手段
３３    タイマの計測時間を可変設定するロータリースイッチ
３４    大当信号および特定遊技モード信号の遅延時間を可変設定するロータリースイッチ
３５    貸球払出信号の遅延時間を可変設定するロータリースイッチ
４０    異常報知装置
【図１】
2005177022.tif 000003
【図２】
2005177022.tif 000004